(57)【特許請求の範囲】
【請求項１】
光源と、該光源上に配置される光学部材とを収納し、該光源から該光学部材を介して放射される光を透過させる透光プレートが取り付けられる照明装置用筐体であって、
上面部に窓孔を有し、該上面部によって前記透光プレートに対して少なくとも下向きの成分を有する押圧力を及ぼし、該上面部から下方に伸長した両側面部の各々に、内側に屈曲した屈曲片部を備えた、弾性を有する蓋体と、
上方に開口を有し、内部空間に前記光源及び前記光学部材を収納し、側面の各々と底面との間に、又は両側面に、前記屈曲片部に接触されて押圧される接触面部を備えたケースと、
前記透光プレートと前記ケースにおける前記開口の周囲部分との間を密閉させる密閉材と
を備えており、
前記屈曲片部における前記接触面部を押圧する部分の筐体長手方向での位置範囲が、前記開口の筐体長手方向での位置範囲を包含する
ことを特徴とする照明装置用筐体。
【請求項２】
前記蓋体は、前記屈曲片部が前記接触面部に対して少なくとも上向きの成分を有する押圧力を及ぼし、前記側面部が前記ケースに対して少なくとも内向きの成分を有する押圧力を及ぼすことによって、前記ケースに対して内向きであって斜め上向きの押圧力を及ぼす弾性を有することを特徴とする請求項１に記載の照明装置用筐体。
【請求項３】
前記接触面部の外側端部が丸められた角になっており、該丸められた角の曲率半径は、前記屈曲片部における屈曲した部分の内側の面の曲率半径よりも大きいことを特徴とする請求項１又は２に記載の照明装置用筐体。
【請求項４】
前記接触面部の外側端部における丸められた角の曲率半径は、０.５ミリメートル以上であって３ミリメートル以下であり、前記屈曲片部における屈曲した部分の内側の面の曲率半径は、０.１ミリメートル以上であって２ミリメートル以下であることを特徴とする請求項３に記載の照明装置用筐体。
【請求項５】
前記蓋体の側面部、上面部、又は側面部及び上面部は、前記屈曲片部が前記接触面部に対して少なくとも上向きの成分を有する押圧力を及ぼすように、外側に膨らむ形で湾曲していることを特徴とする請求項１から４のいずれか１項に記載の照明装置用筐体。
【請求項６】
前記屈曲片部が前記接触面部を押圧する接触位置は、筐体幅方向において、前記上面部が前記透光プレートを押圧する接触位置よりも外側にあることを特徴とする請求項１から５のいずれか１項に記載の照明装置用筐体。
【請求項７】
前記密閉材は、Ｏリングであり、
前記蓋体の上面部は、前記透光プレートを押圧して前記開口の周囲部分に配置された前記Ｏリングに押し付ける
ことを特徴とする請求項１から６のいずれか１項に記載の照明装置用筐体。
【請求項８】
前記密閉材は、接着剤、又は接着剤及びＯリングであり、
前記透光プレートは、前記接着剤によって、前記開口を覆うように前記ケースに接着されている
ことを特徴とする請求項１から６のいずれか１項に記載の照明装置用筐体。
【請求項９】
前記ケースの側面は、前記開口を有する上面から下方且つ外側に向かって伸長していることを特徴とする請求項１から８のいずれか１項に記載の照明装置用筐体。
【請求項１０】
光源と、該光源上に配置される光学部材とを収納し、該光源から該光学部材を介して放射される光を透過させる透光プレートが取り付けられる照明装置用筐体における蓋体の固定方法であって、
前記照明装置用筐体は、
上面部に窓孔を有し、該上面部によって前記透光プレートに対して少なくとも下向きの成分を有する押圧力を及ぼし、該上面部から下方に伸長した両側面部の各々に、内側に屈曲した屈曲片部を備えた弾性を有する蓋体と、
上方に開口を有し、内部空間に前記光源及び前記光学部材を収納し、側面の各々と底面との間に、又は両側面に、前記屈曲片部に接触されて押圧される接触面部を備えたケースと、
前記透光プレートと前記ケースにおける前記開口の周囲部分との間を密閉させる密閉材と
を備えており、前記蓋体の固定方法は、
前記蓋体をもって、前記ケースの上面を覆い、
前記開口の筐体長手方向での位置範囲を包含する位置範囲に伸長した前記屈曲片部を、前記接触面部に接触させ、
前記屈曲片部によって前記接触面部に斜め上向きの押圧力を与え、該押圧力の反作用として前記屈曲片部に斜め下向きの押圧力を与えて、前記蓋体を固定する
ことを特徴とする蓋体の固定方法。
【発明の詳細な説明】
【技術分野】
【０００１】
本発明は、照明装置の筐体構造及び筐体の組み立て技術に関する。
【背景技術】
【０００２】
広範に使用されている照明装置として、白熱灯及び蛍光灯が周知である。一方、近年、ＬＥＤを光源としたＬＥＤ照明装置が開発され、その高変換効率・高光源効率の故に、これら従来の照明装置を代替する勢いでその製品化が進展している。
【０００３】
このＬＥＤ照明装置は、工業用途を有する。この工業用途では、基板上に複数の表面実装型ＬＥＤを実装し、その上に光学部材を配置させた光源モジュールを、筐体内に収納した構造が一般的に用いられる。この際、この筐体構造には、水、油、粉塵、金属加工時の切粉等の侵入を防止して安定した発光動作を維持すべく密閉性が要求される。
【０００４】
この密閉性を確保する例として、例えば、特許文献１及び２には、筐体本体の両外側面に延設された凹溝に、蓋体両端の折曲部を、筐体本体の長手方向端部から嵌め込んでスライドさせ、その後折曲部を下方から複数のネジで固定した筐体構造が開示されている。
【０００５】
この構造では、ネジによって下方に付勢された蓋体が、ガラス板を、筐体開口の周囲に配されたパッキンに押し付けて密閉性を発現させる。ここで、筐体本体の一部は、蓋体の断面コ字状の縁部に入り込んでおり、パッキンの概ね直下にネジが配されている。これにより、パッキンの側方にネジを配置せずに済み、筐体幅寸法の抑制が図られる。しかしながら、凹溝には折曲部をネジで引き下げるだけの高さ方向のクリアランスが必須となり、筐体の厚みにはその分の確保が必要となる。
【０００６】
一方、本願発明者等は、図６に示す筐体構造７を考案している。図６の断面図によれば、筐体本体７０は、両側面底部で突出した棚部７００を有する。また、フタ７１の折曲部７１０は、棚部７００に置かれた状態で、ネジ７４によって固定される。透光板７２は、フタ７１によりシール材７３に押し付けられて、又は接着剤による接着によって、筐体本体７０に固定される。本筐体構造では、フタ７１の断面コ字状の縁部には、何ら筐体本体７０が入り込んでいない。さらに、特許文献１及び２のような凹溝を形成する必要がない。その結果、特許文献１及び２と比較して、筐体の厚み寸法をより小さくすることも可能となる。
【０００７】
尚、照明装置ではないが、ネジを使用しない筐体構造の組み立て方法として、特許文献３には、下面に係止部を有する空気調和機本体枠パネルと、この係止部に係合する係合爪を有する蓋部材とを結合させる取り付け方法が開示されている。
【先行技術文献】
【特許文献】
【０００８】
【特許文献１】特開２０１０−９２６９４号公報
【特許文献２】特開２０１０−９２７００号公報
【特許文献３】特開平１１−１４１９１４号公報
【発明の概要】
【発明が解決しようとする課題】
【０００９】
しかしながら、以上に述べた照明装置筐体構造に係る従来技術では、蓋体（フタ）の固定に複数のネジを用いねばならず、組み立て工数が増大する。
【００１０】
即ち、複数のネジによって蓋体を固定する場合、所望の密閉性を確保するために、複数のネジを所定の強度でバランス良く締めなければならない。また、複数のネジの締め付け順序にも工夫が必要となる。また、そもそも、ネジの締め付けでは、蓋体（の折曲部）を引き下げる力点は離散的であるので、均一なガラス板（透光版）の抑えつけを実現するためには、所定の工程上の手間が必要となる。
【００１１】
さらに、複数のネジを取り付けるために、筐体本体は、（ネジ穴を含む）ネジ取り付け箇所分だけ、さらにはネジ先及び折曲部の可動スペース分だけ余分な大きさを必要とする。即ち、筐体本体の厚み寸法又は幅寸法が増加しがちとなる。また、特に特許文献１及び２の場合、蓋体両端の折曲部を、筐体本体の長手方向端部から凹溝に嵌め込みスライドさせて初めて、ネジ止めが可能となる。このような作業は組み立ての際に、さらには蓋体の取り付け・取り外しの際に大きな負担となる。
【００１２】
ここで、以上に述べた問題を抱えたネジ止め方法に代えて、上述した特許文献３のように、係止部を有する筐体本体と、この係止部に係合する係合爪を有する蓋体とを採用することも考えられる。しかしながら、この場合、接合部に狭小な隙間ができることを回避するのが困難であり、ガラス板（透光版）を含む筐体構造に、防水・防油機能等を付与することはできない。また、ネジのような締め付け手段がないので、取り付けた蓋体が例えばぐらついてしまい、蓋体が安定して固定され難い。
【００１３】
そこで、本発明は、ネジを用いずに容易に組み立てが可能であり、蓋体が安定して固定されていて、所望の密閉構造を実現可能な照明装置用筐体、及び蓋体の固定方法を提供することを目的とする。
【課題を解決するための手段】
【００１４】
本発明によれば、光源と、この光源上に配置される光学部材とを収納し、光源からこの光学部材を介して放射される光を透過させる透光プレートが取り付けられる照明装置用筐体であって、
上面部に窓孔を有し、この上面部によって透光プレートに対して少なくとも下向きの成分を有する押圧力を及ぼし、この上面部から下方に伸長した両側面部の各々に、内側に屈曲した屈曲片部を備えた、弾性を有する蓋体と、
上方に開口を有し、内部空間に光源及び光学部材を収納し、側面の各々と底面との間に、又は両側面に、屈曲片部に接触されて押圧される接触面部を備えたケースと、
透光プレートとケースにおける開口の周囲部分との間を密閉させる密閉材と
を備えており、
屈曲片部における接触面部を押圧する部分の筐体長手方向での位置範囲が、開口の筐体長手方向での位置範囲を包含する照明装置用筐体が提供される。
【００１５】
この照明装置用筐体によれば、弾性を有する蓋体に設けられた屈曲片部と、ケースに設けられた接触面部とが筐体長手方向にわたって概ね均一に押圧力を及ぼし合うように、蓋体がケースに固定される。これにより、ネジを用いずに容易に筐体が組み立てられ、蓋体が安定して固定されていて、所望の密閉構造が実現される。
【００１６】
また、本発明の照明装置用筐体において、蓋体は、屈曲片部が接触面部に対して少なくとも上向きの成分を有する押圧力を及ぼし、側面部がケースに対して少なくとも内向きの成分を有する押圧力を及ぼすことによって、ケースに対して内向きであって斜め上向きの押圧力を及ぼす弾性を有することも好ましい。これにより、蓋体は、この押圧力の反作用として、ケースから外向きであって斜め下向きの押圧力を与えられる。その結果、蓋体は、ケースに対して、上下方向にも幅方向にも移動できず固定される。
【００１７】
さらに、本発明の照明装置用筐体において、接触面部の外側端部が丸められた角になっており、この丸められた角の曲率半径は、屈曲片部における屈曲した部分の内側の面の曲率半径よりも大きいことも好ましい。この際、接触面部の外側端部における丸められた角の曲率半径は、０.５ｍｍ（ミリメートル）以上であって３ｍｍ以下であり、屈曲片部における屈曲した部分の内側の面の曲率半径は、０.１ｍｍ以上であって２ｍｍ以下であることが好ましい。
【００１８】
また、本発明の照明装置用筐体の一実施形態として、蓋体の側面部、上面部、又は側面部及び上面部は、屈曲片部が接触面部に対して少なくとも上向きの成分を有する押圧力を及ぼすように、外側に膨らむ形で湾曲していることも好ましい。また、本発明の照明装置用筐体の一実施形態として、ケースの側面は、開口を有する上面から下方且つ外側に向かって伸長していることも好ましい。
【００１９】
さらに、本発明の照明装置用筐体によれば、筐体幅方向において、蓋体の屈曲片部が接触面部を押圧する接触位置は、蓋体の上面部が透光プレートを押圧する接触位置よりも外側にあることも好ましい。これにより、筐体の更なる薄型化が可能となる。
【００２０】
また、本発明の照明装置用筐体の一実施形態として、密閉材は、Ｏリングであり、蓋体の上面部は、透光プレートを押圧して開口の周囲部分に配置されたＯリングに押し付けることも好ましい。または、密閉材は、接着剤、又は接着剤及びＯリングであり、透光プレートは、接着剤によって、開口を覆うようにケースに接着されていることも好ましい。
【００２１】
本発明によれば、さらに、光源と、この光源上に配置される光学部材とを収納し、光源からこの光学部材を介して放射される光を透過させる透光プレートが取り付けられる照明装置用筐体における蓋体の固定方法であって、
照明装置用筐体は、
上面部に窓孔を有し、この上面部によって透光プレートに対して少なくとも下向きの成分を有する押圧力を及ぼし、この上面部から下方に伸長した両側面部の各々に、内側に屈曲した屈曲片部を備えた弾性を有する蓋体と、
上方に開口を有し、内部空間に光源及び光学部材を収納し、側面の各々と底面との間に、又は両側面に、屈曲片部に接触されて押圧される接触面部を備えたケースと、
透光プレートとケースにおける開口の周囲部分との間を密閉させる密閉材と
を備えており、上記蓋体の固定方法は、
蓋体をもって、ケースの上面を覆い、
開口の筐体長手方向での位置範囲を包含する位置範囲に伸長した屈曲片部を、接触面部に接触させ、
屈曲片部によって接触面部に斜め上向きの押圧力を与え、この押圧力の反作用として屈曲片部に斜め下向きの押圧力を与えて、蓋体を固定する、蓋体の固定方法が提供される。
【発明の効果】
【００２２】
本発明の照明装置用筐体及び蓋体固定方法によれば、ネジを用いずに容易に筐体が組み立てられ、蓋体が安定して固定されていて、所望の密閉構造が実現される。
【図面の簡単な説明】
【００２３】
【図１】本発明による照明装置用筐体の一実施形態を概略的に示す斜視図及び断面図である。
【図２】本発明による照明装置用筐体の他の実施形態を概略的に示す断面図である。
【図３】本発明による照明装置用筐体に収納される光源モジュールの一実施形態を概略的に示す斜視図、断面図及び正面図である。
【図４】本発明による照明装置用筐体における屈曲片部及び接触面部に係る他の実施形態を概略的に示す断面図である。
【図５】本発明による照明装置用筐体における蓋体に係る他の実施形態を概略的に示す断面図である。
【図６】従来の筐体構造の考案例を示す断面図である。
【発明を実施するための形態】
【００２４】
以下に、本発明を実施するための形態について、添付図面を参照しながら詳細に説明する。なお、各図面において、同一の要素は、同一の参照番号を用いて示されている。また、図面中の構成要素内及び構成要素間の寸法比は、図面の見易さのため、それぞれ任意となっている。
【００２５】
［筐体１］
図１は、本発明による照明装置用筐体の一実施形態を概略的に示す斜視図及び断面図である。ここで、図１（Ａ）は正面が視認される斜視図であり、図１（Ｂ）は背面が視認される斜視図であり、図１（Ｃ）は、図１（Ｂ）のＡ面による断面図、及びその一部の拡大図である。
【００２６】
図１（Ａ）及び（Ｂ）によれば、ＬＥＤ（Light Emitting Diode）照明装置用筐体１（筐体１）は、ケース１０と蓋体１１とを有し、蓋体１１は、ケース１０の上面を覆うようにケース１０に係合している。ケース１０の内部空間には、光源モジュール３（図１（Ｃ））が収納されている。ここで、ケース１０の長手方向両端部には、本ＬＥＤ照明装置を取り付けるための取り付けネジ穴１５が形成されてもよい。また、ケース１０の長手方向の一方の端部に、光源モジュール３に給電するためのケーブル１４が挿入されてもよい。
【００２７】
蓋体１１は、上面部１１０に窓孔１１３を有し、この窓孔１１３から、蓋体１１とケース１０との間に位置した（又は狭持された）透光プレート１２が視認される。蓋体１１は、上面部１１０によって透光プレート１２に対し、少なくとも下向きの成分を有する押圧力を及ぼす。透光プレート１２は、光源モジュール３から放射された照射光を透過させる。光源モジュール３は、後に詳述するように、複数のＬＥＤ光源３１（図３（Ａ））とこれらＬＥＤ光源３１上に配置される光学部材３２（図３（Ａ））とを含む。
【００２８】
また、蓋体１１は、弾性を有し、図１（Ｃ）に示すように、上面部１１０から下方に伸長した両方の側面部１１１の各々に、内側に屈曲した屈曲片部１１２を備えている。一方、ケース１０は、上方に開口１００を有し、側面１０１の各々と底面１０２との間に（又は両側面１０１に）、屈曲片部１１２に接触されて押圧される接触面部１０３を備えている。言い換えると、接触面部１０３は、ケース１０の側面１０１の各々と底面１０２との間に形成された、筐体長手方向に伸長する切り欠け部における上面（天井面）及びその端辺を含む。
【００２９】
尚、図示していないが、ケース１０の底面に、光源モジュール３から発生した熱を放散させるための放熱フィンが設けられてもよい。
【００３０】
また、ケース１０は、例えば、アルミダイキャスト若しくはステンレス鋼等の金属材料、又はポリカーボネート、ポリエチレン・テレフタレート（ＰＥＴ）若しくはアクリル等の非透光性プラスチック材料で形成されている。さらに、蓋体１１は、例えば、ステンレス鋼等の金属材料製の板材を加工して形成されており、又は上記の非透光性プラスチック材料から形成されており、弾性を有する。さらに、透光プレート１２は、例えば、強化ガラス等のガラス材料、又はポリカーボネート、ＰＥＴ、アクリル若しくはシリコーン系物質等の透光性プラスチック材料で形成されている。
【００３１】
さらに、透光プレート１２とケース１０における開口１００の周囲に設けられた段差部との間を密閉させる密閉材として、例えばシリコーン系等の接着剤である接着剤１３が使用されている。透光プレート１２の外側周辺部は、この接着剤１３によって開口１００周囲の段差部と接着される。尚、このように透光プレート１２が接着剤１３で接着される場合であっても、蓋体１１の上面部１１０は、透光プレート１２を押圧して開口１００の周囲部分に押し付ける。これにより、透光プレート１２とケース１０との密閉性がより高まる。また、外力による透光プレート１２のずれや離脱を防止することができる。
【００３２】
ここで、図１（Ｃ）の拡大図に示すように、接触面部１０３（ケース１０）の外側端部は、丸められた角になっている。この丸められた角の曲率半径Ｒ１０は、屈曲片部１１２における屈曲した部分の内側の面の曲率半径Ｒ１１よりも大きく設定されている。その結果、蓋体１１の屈曲片部１１２は、ケース１０におけるこの角より内側の位置（接触面部１０３）に接触し、一方、蓋体１１の側面部１１１は、ケース１０におけるこの角の上方の位置（側面１０１）に接触する。
【００３３】
ここで、蓋体１１が弾性を有する結果として、屈曲片部１１２は、接触面部１０３に対して少なくとも上向きの成分を有する押圧力ｆ１を及ぼし、一方、側面部１１１は、ケース１０（の側面１０１）に少なくとも内向きの成分を有する押圧力ｆ２を及ぼす。これにより、蓋体１１は、ケース１０に対して内向きであって斜め上向きの押圧力ＦＰ（ｆ１及びｆ２の合力）を及ぼす。
【００３４】
その結果、蓋体１１の両端部をなす屈曲片部１１２及び側面部１１１はそれぞれ、押圧力ＦＰの反作用として接触面部１０３から、外向きであって斜め下向きの押圧力ＦＲ（|ＦＲ|＝|ＦＰ|）を与えられる。これにより、蓋体１１は、ケース１０に対して、上下方向にも幅方向にも移動できず、透光プレート１２を押し付けながら固定される。
【００３５】
尚、屈曲片部１１２は、蓋体１１の側面部１１１の端部を内側に折り曲げて形成されていてもよい。また、その際の折り曲げ部分（屈曲片部１１２の一部）の内側の面の曲率半径Ｒ１１は、０.１〜２ｍｍの範囲内に設定されることが好ましい。一方、接触面部１０３（ケース１０）における外側端部の丸められた角の曲率半径Ｒ１０は、０.５〜３ｍｍの範囲内であって、曲率半径Ｒ１１よりも大きな値に設定されることが好ましい。これにより、蓋体１１は、ケース１０に押圧力ｆ１及び押圧力ｆ２を及ぼすことができ、ケース１０に対して固定されるのに必要な向きを有する押圧力ＦＲを、確実に受けることができる。
【００３６】
さらに、屈曲片部１１２及び側面部１１１が受ける押圧力ＦＲは、屈曲片部１１２及び側面部１１１における接触面部１０３及びケース側面１０１を押圧する部分全体にわたって概ね均一に作用する。ここで、図１（Ａ）及び（Ｂ）に戻って、屈曲片部１１２における接触面部１０３を押圧する部分の筐体長手方向での（長さＬ１１２の）位置範囲は、開口１００の筐体長手方向での（長さＬ１００の）位置範囲を包含している。当然、Ｌ１１２＞Ｌ１００に設定されている。尚、屈曲片部１１２における接触面部１０３を押圧する部分の長さＬ１１２は、例えば５〜１２０ｃｍ（センチメートル）の範囲内に設定される。
【００３７】
従って、蓋体１１の上面部１１０が透光プレート１２を押圧する際、筐体長手方向において概ね均一な力で透光プレート１２を押し付けることができる。これにより、ネジを用いることなく、ネジ止めよりも均一な押圧力をもって、より容易に密閉性を高め、また透光プレート１２をより安定して固定させることができる。
【００３８】
また、開口１００を覆う蓋体１１は、屈曲片部１１２及び側面部１１１において、外向きであって斜め下向きの押圧力を、筐体長手方向において開口１００を超えた範囲で概ね均一に受けて固定される。その結果、蓋体１１も、ネジを用いることなく、ネジ止めよりも均一な押圧力をもって、ケース１０に安定して固定可能となる。
【００３９】
さらに、ネジが不要となるので、筐体１においてネジの取り付け箇所分及びネジの可動スペース分を確保する必要がない。その結果、筐体全体の厚み寸法又は幅寸法を小さく抑えることも可能となり、筐体１の小型化が容易となる。
【００４０】
ここで、図１（Ｃ）に示すように、筐体幅方向において、蓋体１１の屈曲片部１１２が接触面部１０３を押圧する接触位置Ｃｄは、蓋体１１の上面部１１０が透光プレート１２を押圧する接触位置Ｃｕよりも外側（光源モジュール３からより離れる側）にあることが好ましい。この場合、接触位置Ｃｄと接触位置Ｃｕとの筐体高さ方向（上下方向）における差を、例えば、透光プレート１２の厚さ程度にまで小さくすることも可能となる。このように、接触位置Ｃｄを接触位置Ｃｕよりも外側に設定することは、蓋体１１の高さを十分に小さくし、筐体１をより薄型化することに貢献する。
【００４１】
次に、蓋体１１を具体的に固定する手順を説明する。最初に、蓋体１１をもって、ケース１０の上面を覆う。この際、蓋体１１は弾性を有しており、屈曲片部１１２を互いに若干引き離す方向に広げることができる。従って、例えば、特許文献１の蓋体のように、筐体本体の長手方向端部から凹溝に折曲部を嵌め込みスライドさせる必要がなく、蓋体１１を、上方からケース１０の上面に直接被せることが可能となる。これにより、組み立ての際の、さらには蓋体１１の取り付け・取り外しの際の負担が少なくて済む。
【００４２】
次いで、開口１００の筐体長手方向での位置範囲を包含する位置範囲に伸長した屈曲片部１１２を、接触面部１０３に接触させる。その後、屈曲片部１１２及び側面部１１１によって接触面部１０３及び側面１０１に内向きであって斜め上向きの押圧力ＦＰを与え、この押圧力ＦＰの反作用として屈曲片部１１２及び側面部１１１に外向きであって斜め下向きの押圧力ＦＲを与えて、蓋体１１を固定する。
【００４３】
蓋体１１とケース１０とが一度押圧力を与え合って位置が固定されれば、蓋体１１の有する弾性によって、弾性変形を戻そうとする力が働き続ける。その結果、蓋体１１とケース１０とは強固に結合・固定される。これにより、ネジを用いずに容易に筐体１が組み立てられ、蓋体１１が安定して固定されていて、所望の密閉構造が実現される。
【００４４】
また、蓋体１１において、側面部１１１も上面部１１０から所定の曲率半径をもって折り曲げて形成されていることも好ましい。この場合、蓋体１１をケース１０に被せる際に、蓋体１１は、この曲率半径を有する折り曲げ部分全体で弾性変形する。その結果、蓋体１１の塑性変形が回避され、蓋体１１の弾性及び形状が維持される。
【００４５】
図２は、本発明による照明装置用筐体の他の実施形態を概略的に示す断面図である。ここで、図２（Ａ）及び（Ｂ）の断面図は共に、図１（Ｂ）のＡ面による断面図に相当する。尚、以下、各実施形態について、図１に示した実施形態との共通点に係る説明を概ね省略し、相違点を中心に説明する。
【００４６】
図２（Ａ）の実施形態によれば、密閉材は、Ｏリング１３１である。ここで、蓋体１１の屈曲片部１１２（側面部１１１）とケース１０の接触面部１０３（側面１０１）とが、互いに当たり接触して押圧し合う。これに併せて、蓋体１１の上面部１１０は、透光プレート１２を押圧して開口１００周囲の凹溝に配置されたＯリング１３１に押し付ける。
【００４７】
ここで、屈曲片部１１２における接触面部１０３を押圧する部分の筐体長手方向での位置範囲は、既に説明したように、開口１００の筐体長手方向での位置範囲を包含している。従って、蓋体１１の上面部１１０は、長手方向において概ね均一な力で透光プレート１２をＯリング１３１に押し付けることができる。これにより、ネジを用いることなく、より容易に密閉性を高め、また透光プレート１２をより安定して固定させることができる。
【００４８】
次いで、図２（Ｂ）の実施形態によれば、密閉材は、接着剤１３及びＯリング１３１である。ここで、透光プレート１２は、接着剤１３によって、開口１００を覆うようにケース１０に接着されている。尚、接着剤１３は、Ｏリング１３１が配置された開口１００周囲の凹溝にも配されてよい。
【００４９】
本実施形態では、蓋体１１の上面部１１０が透光プレート１２をＯリング１３１に押し付けた状態で接着剤１３を硬化させ、Ｏリング１３１による良好な密閉状態を固定することが可能である。また、上面部１１０で透光プレート１２を押し付けることによって、外力による透光プレート１２のずれや離脱を防止することが可能となる。
【００５０】
さらに、本実施形態においても、開口１００を覆う蓋体１１は、屈曲片部１１２及び側面部１１１の位置において、外向きであって斜め下向きの押圧力を、筐体長手方向において開口１００を超えた範囲で概ね均一に受けて固定される。その結果、蓋体１１は、ネジを用いることなく、ケース１０に安定して固定可能となる。
【００５１】
［照明モジュール３］
図３は、本発明による照明装置用筐体に収納される光源モジュール３の一実施形態を概略的に示す斜視図、断面図及び正面図である。
【００５２】
図３（Ａ）及び（Ｂ）は、光源モジュール３の構成単位を示す。これらの図によれば、光源モジュール３は、回路基板３０（回路基板の一部を表示）と、複数のＬＥＤ光源３１と、光学部材としての複数の配向・分散制御レンズ３２とを備えている。複数のＬＥＤ光源３１は、例えば表面実装型ＬＥＤであり、回路基板３０上に並べて実装されている。配向・分散制御レンズ３２は、各ＬＥＤ光源３１上に配置されており、ＬＥＤ光源３１からの放射光を受け取り、この放射光の配向及び分散を制御して照射光を形成し、この照射光を外部に放射する。
【００５３】
配向・分散制御レンズ３２は、放射光の配向角を制御する配光角制御レンズ部３２０と、配光角の制御された放射光の分散を制御し均一化する微小レンズ配列部３２１とを備えている。微小レンズ配列部３２１に含まれる微小レンズとして、曲率半径Ｒ及び／又はピッチＰが方向によって異なる異方性レンズを採用することも好ましい。これにより、照射光による照明形状を、例えば略長方形状に、制御することができる。
【００５４】
図３（Ｃ）に、光源モジュール３を収納した筐体１の正面図を示す。また、図３（Ｄ）に、図３（Ｃ）におけるＢ−Ｂ線断面図を示す。両図によれば、光源モジュール３における複数の配向・分散制御レンズ３２の上方に、透光プレート１２が位置し、光源モジュール３から出射される照射光が、透光プレート１２を介して外部に放射される。
【００５５】
尚、図３（Ｅ）の断面図に示すように、複数のＬＥＤ光源３１の上方に、配向・分散制御レンズ３２に代えて、光学部材として光拡散シート３３が設置されていてもよい。光拡散シート３３は、屈折率の異なるシリカ等の微粒子が混入された樹脂層とすることができる。これにより、ＬＥＤ光源３１からの放射光を拡散させ、広範囲を概ね均一に照射可能な照射光を形成することができる。
【００５６】
尚、筐体１に収納される光源モジュール３について、以上に述べた形態以外の実施形態を採用することも当然に可能である。例えば、光学部材として常用される凸レンズを使用してもよい。いずれにしても、回路基板、ＬＥＤ光源及び光学部材は、外部からの水、油、粉塵、金属加工時の切粉等の侵入により、発光動作に支障を来す不具合を生じ得る。これに対し、本発明による筐体１では、図１及び２を用いて説明した密閉構造・機構によって、水、油、粉塵、金属加工時の切粉等の侵入を防止し、光源モジュール３の安定した発光動作を維持させる。
【００５７】
［屈曲片部及び接触面部］
図４は、本発明による照明装置用筐体における屈曲片部及び接触面部に係る他の実施形態を概略的に示す断面図である。ここで、図４（Ａ）〜（Ｃ）の断面図はいずれも、図１（Ｂ）のＡ面による断面図に相当する。
【００５８】
図４（Ａ）の実施形態では、ケース４０は、幅方向外側に突出し筐体長手方向（図面に垂直な方向）に伸長した突出部４００を有しており、この突出部４００の下端部が接触面部４０２となる。この接触面部４０２の外側端部（端辺）も、図１（Ｃ）の接触面部１０３の外側端部と同じく、丸められた角となっている。
【００５９】
この際、蓋体５０における屈曲片部５０２及び側面部５０１による接触面部４０２及び側面４０１に対する押圧力Ｆ４ａは、内向きであって斜め上向きである。一方、屈曲片部５０２及び側面部５０１が接触面部４０２及び側面４０１から反作用として受ける押圧力Ｆ４ｂは、外向きであって斜め下向きとなる。その結果、屈曲片部５０２及び側面部５０１を両端部とする蓋体５０は、ケース４０に対して、上下方向にも幅方向にも移動できず固定される。
【００６０】
図４（Ｂ）の実施形態では、ケース４１は、長手方向（図面に垂直な方向）に伸長した凹溝４１０を側面に有しており、この凹溝４１０の上内面が接触面部４１２となる。この接触面部４１２の外側端部（端辺）も、図１（Ｃ）の接触面部１０３の外側端部と同じく、丸められた角となっている。
【００６１】
この際、蓋体５１における屈曲片部５１２及び側面部５１１による接触面部４１２及び側面４１１に対する押圧力Ｆ４ｃは、内向きであって斜め上向きである。一方、屈曲片部５１２及び側面部５１１が接触面部４１２及び側面４１１から反作用として受ける押圧力Ｆ４ｄは、外向きであって斜め下向きとなる。その結果、屈曲片部５１２及び側面部５１１を両端部とする蓋体５１は、ケース４１に対して、上下方向にも幅方向にも移動できず固定される。
【００６２】
図４（Ｃ）の実施形態では、ケース４２の側面４２１は、ケース４２の上面から下方且つ外側に向かって伸長している。即ち、ケース４２の断面は、概ね台形となっている。この際の側面４２１は、ケース４２の底面の垂線に対して例えば０.５度（°）といった微小な角度で傾いていてもよい。このケース４２の側面４２１と底面との間に、接触面部４２２が形成されている。
【００６３】
ここで、蓋体５２の側面部５２１は、ケース４２の側面４２１（の下方部分）に接触している。また、屈曲片部５２２は接触面部４２２に接触している。その結果、蓋体５２によるケース４２に対する押圧力Ｆ４ｅは、内向きであって斜め上向きとなる。これにより、蓋体５２がケース４２から反作用として受ける押圧力Ｆ４ｆは、外向きであって斜め下向きとなる。その結果、屈曲片部５２２及び側面部５２１を両端部とする蓋体５２は、ケース４２に対して、上下方向にも幅方向にも移動できず固定される。
【００６４】
尚、上述したように、ケース４２の断面は概ね台形となっているので、蓋体５２のケース４２へのはめ込みがより容易になり、組み立て工程上有利となる。即ち、弾性を利用して蓋体５２の屈曲片部５２２同士をある程度広げた状態で、これら屈曲片部５２２の間にケース４２の上部を一度挟んでしまえば、後は蓋体５２を上から押し込むことによって、屈曲片部５２２が台形のテーパに沿って下り、接触面部４２２に容易に嵌り込む。
【００６５】
以上、図４（Ａ）〜（Ｃ）に示した実施形態においても、蓋体は、屈曲片部及び側面部の位置において、外向きであって斜め下向きの押圧力を、筐体長手方向において概ね均一に受けて固定される。その結果、蓋体は、ネジを用いることなく、ケースに安定して固定可能となる。
【００６６】
［蓋体形状］
図５は、本発明による照明装置用筐体における蓋体に係る他の実施形態を概略的に示す断面図である。ここで、図５（Ａ）〜（Ｃ）の断面図はいずれも、図１（Ｂ）のＡ面による断面図に相当する。
【００６７】
図５（Ａ）の実施形態によれば、弾性を有する蓋体６０の側面６０１は、外側に膨らむ形で湾曲している。この湾曲は、屈曲片部６０２が接触面部１０３に対して、更に少なくとも上向きの成分を有する押圧力を及ぼす方向に働く。ここで、屈曲片部１１２と接触面部１０３とが一度押圧力を与え合って位置が固定されれば、蓋体６０の中でも特に湾曲した側面６０１による弾性変形を戻そうとする力が働き続ける。その結果、蓋体６０とケース１０とはより強固に結合・固定される。これにより、ネジを用いずに容易に筐体が組み立てられ、蓋体６０が安定して固定されていて、所望の密閉構造が実現される。
【００６８】
図５（Ｂ）の実施形態によれば、弾性を有する蓋体６１の上面６１０及び側面６１１はそれぞれ、外側に膨らむ形で湾曲している。これらの湾曲は、屈曲片部６１２が接触面部１０３に対して、更に少なくとも上向きの成分を有する押圧力を及ぼす方向に働く。また、上面６１０の端が透光プレート１２に対して、更に少なくとも下向きの成分を有する押圧力を及ぼす方向に働く。
【００６９】
ここで、屈曲片部６１２と接触面部１０３とが一度押圧力を与え合って位置が固定されれば、蓋体６１の中でも特に湾曲した上面６１０及び側面６１１による弾性変形を戻そうとする力が働き続ける。その結果、蓋体６１とケース１０（透光プレート１２）とはより強固に結合・固定される。これにより、ネジを用いずに容易に筐体が組み立てられ、蓋体６１が安定して固定されていて、所望の密閉構造が実現される。
【００７０】
図５（Ｃ）の実施形態によれば、蓋体６２において、側面部６２１から内側に屈曲した屈曲片部６２２の端部は、更に上方に折れ曲がっている。また、ケース４３の底部であって接触面部４３３の内側に、凹溝４３０が形成されている。この凹溝４３０は、屈曲片部６２２における上方に折れ曲がった端部を収納する。
【００７１】
このような形態を採用することによって、例えば蓋体６２が鋳造部品であって経時変化で弾性が低下し、蓋体６２のケース４３に対する押圧力が弱くなっても、蓋体６２がずれたり離脱したりする事態が防止可能となる。即ち、蓋体６２に外力がかかっても、屈曲片部６２２の折れ曲がった端部が凹溝４３０に引っ掛かり、蓋体６２が尚固定される。
【００７２】
以上本発明によれば、弾性を有する蓋体における筐体長手方向に伸長した屈曲片部と、ケースに設けられた接触面部とが筐体長手方向にわたって概ね均一に押圧力を及ぼし合うように、蓋体がケースに固定される。これにより、ネジを用いずに容易に筐体が組み立てられ、蓋体が安定して固定されていて、所望の密閉構造が実現される。
【００７３】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【００７４】
１  筐体（照明装置用筐体）
１０、４０、４１、４２、４３  ケース
１００  開口
１０１、４０１、４１１、４２１  側面
１０２  底面
１０３、４０２、４１２、４２２  接触面部
１１、５０、５１、５２、６０、６１、６２  蓋体
１１０、６００、６１０、６２０  上面部
１１１、５０１、５１１、５２１、６０１、６１１、６２１  側面部
１１２、５０２、５１２、５２２、６０２、６１２、６２２  屈曲片部
１１３  窓孔
１２  透光プレート
１３  接着剤
１３１  Ｏリング
１４  ケーブル
１５  取り付けネジ穴
３  光源モジュール
３０  回路基板
３１  ＬＥＤ光源
３２  配向・分散制御レンズ
３２０  配光角制御レンズ部
３２１  微小レンズ配列部
３３  光拡散シート
４００  突出部
４１０、４３０  凹溝
７  筐体構造
７０  筐体本体
７００  棚部
７１  フタ
７１０  折曲部
７２  透光板
７３  シール材
７４  ネジ
【図１】
0005879612.tif 000002
【図２】
0005879612.tif 000003
【図３】
0005879612.tif 000004
【図４】
0005879612.tif 000005
【図５】
0005879612.tif 000006
【図６】
0005879612.tif 000007